(57)【要約】【課題】  開封時に、開封者の手指が容器本体の開口部の口元や開口部付近の外側に接触することを防止できるようにしたキャップ付き容器を得る。【解決手段】  容器本体２に、容器本体２の開口部３を開閉するキャップ４をヒンジ部５を介して一体に設ける。キャップ４にはヒンジ部５とは反対側の部分に開封操作用指掛け突起６を外向きに突設する。キャップ４における開封操作用指掛け突起６を設けた側の部分に、キャップ４を開くときに開封者の指が当たる位置に存在するようにカバー部７を一体に設ける。【選択図】    図１
2008247432.tif 000002
【特許請求の範囲】
【請求項１】
容器本体に、容器本体の開口部を開閉するキャップがヒンジ部を介して一体に設けられ、前記キャップには前記ヒンジ部とは反対側の部分に開封操作用指掛け突起が外向きに突設されているキャップ付き容器であって、前記キャップにおける前記開封操作用指掛け突起を設けた側の部分に、前記キャップを開くときに開封者の指が当たる位置に存在するようにカバー部が一体に設けられていることを特徴とするキャップ付き容器。
【請求項２】
前記カバー部は、前記キャップを閉じた状態にあるとき前記容器本体の前記開口部に至る部分の外側面に沿って袴状となる形状に形成されていることを特徴とする請求項１に記載のキャップ付き容器。
【請求項３】
前記容器本体と前記ヒンジ部と前記キャップとは樹脂で一体成形されていることを特徴とする請求項１または２に記載のキャップ付き容器。
【請求項４】
前記容器本体は、胴部外径が片手で把持可能な太さとなっていることを特徴とする請求項１，２または３に記載のキャップ付き容器。
【発明の詳細な説明】
【技術分野】
【０００１】
本発明は、容器本体に、容器本体の開口部を開閉するキャップがヒンジ部を介して一体に設けられているキャップ付き容器に関するものである。
【背景技術】
【０００２】
例えば、採取した細菌を収容するキャップ付き容器として、内面が滅菌済みのガラス製或いは樹脂製の容器本体の開口部に内面が減菌済みの樹脂製のキャップが取り付けられた構造のキャップ付き容器がある。前記キャップは容器本体と分離して構成されたものや、容器本体の開口部付近に設けられた樹脂製のヒンジ部に繋がれ容器本体と一体に構成されたものがある。
【０００３】
これらのキャップ付き容器は、キャップの開封操作を容易にするため、従来から知られているキャップに突起を設ける構造（例えば、特許文献１参照。）が採用され、キャップの側面に開封操作用指掛け突起が外向きに突設されている。
【０００４】
このようなキャップ付き容器において、キャップの開封操作にあっては、一般的に、一方の手で容器本体を持ち、他方の手でキャップを容器本体から外すことにより行っているが、キャップが容器本体の開口部付近に設けられた樹脂製のヒンジ部に繋がれ容器本体と一体に構成されたものである場合は、開封操作に両手を使用すること無く、容器本体を手のひらと親指以外の４本の指で握り、キャップに突設されている開封操作用指掛け突起に親指を当て、親指で開封操作用指掛け突起を押し上げるといった片手操作で行うことが可能となっている。
【特許文献１】特開２０００−１６４１６号公報
【発明の開示】
【発明が解決しようとする課題】
【０００５】
上記のように、キャップ付き容器が減菌済み容器であり、採取した細菌を収容する容器として使用されるような場合、容器本体内部の滅菌状態を保つため、容器本体内部に雑菌や芥等が入りやすい容器本体の開口部の口元や開口部付近の外側に手指が触れることを避けなければならないが、開封時に、開封者の手指が容器本体の開口部の口元や開口部付近の外側に触れてしまう場合があり、また開封者が気が付かないで触れている可能性がある。特に、キャップがヒンジ部に繋がれ容器本体と一体に構成されたものであって、キャップの開封操作を片手操作で行う場合、必ず開封者の手指が容器本体の開口部の口元や開口部付近の外周に接触してしまう。このため、使用時に、開封した容器本体の開口部の口元や開口部付近の外側を消毒するといた煩わしい作業を強いられることになる。
【０００６】
本発明の目的は、開封時に、開封者の手指が容器本体の開口部の口元や開口部付近の外側に接触することを防止できるようにしたキャップ付き容器を提供することにある。
【課題を解決するための手段】
【０００７】
本発明は、上記の目的を達成するためになされたものであって、下記のような構成になっている。  
請求項１に記載の発明は、容器本体に、容器本体の開口部を開閉するキャップがヒンジ部を介して一体に設けられ、前記キャップには前記ヒンジ部とは反対側の部分に開封操作用指掛け突起が外向きに突設されているキャップ付き容器であって、前記キャップにおける前記開封操作用指掛け突起を設けた側の部分に、前記キャップを開くときに開封者の指が当たる位置に存在するようにカバー部が一体に設けられていることを特徴とする。
【０００８】
請求項２に記載の発明は、請求項１に記載の、前記カバー部は、前記キャップを閉じた状態にあるとき前記容器本体の前記開口部に至る部分の外側面に沿って袴状となる形状に形成されていることを特徴とする。
【０００９】
請求項３に記載の発明は、請求項１または２に記載の、前記容器本体と前記ヒンジ部と前記キャップとは樹脂で一体成形されていることを特徴とする。
【００１０】
請求項４に記載の発明は、請求項１，２または３に記載の、前記容器本体は、胴部外径が片手で把持可能な太さとなっていることを特徴とする。
【発明の効果】
【００１１】
請求項１に記載のキャップ付き容器によれば、開封時に、開封者の手指をキャップに突設されている開封操作用指掛け突起に掛けるとともにキャップに設けられているカバー部に添わして開封操作用指掛け突起を押し上げてキャップを開くことにより、開封者の手指が容器本体の開口部の口元や開口部付近の外側に接触することをカバー部によって確実に防止することができ、開封者の手指が容器本体の開口部の口元や開口部付近に接触することによる容器本体内部への雑菌や芥等の侵入を防止することができることから、キャップ付き容器が減菌済み容器であり、採取した細菌を収容する容器として使用されるような場合、使用時に、開封した容器本体の開口部の口元や開口部付近の外側を消毒するといった煩わしい作業がいらなくなる。
【００１２】
請求項２に記載のキャップ付き容器は、請求項１に記載の、前記カバー部が、前記キャップを閉じた状態にあるとき前記容器本体の前記開口部に至る部分の外側面に沿って袴状となる形状に形成されているので、開封時にカバー部に添わした開封者の手指が容器本体の開口部の口元や開口部付近に接触することをより確実に防止することができ、また、手指による開封操作用指掛け突起の押し上げの力を受けることにより、開封操作用指掛け突起に掛かる力が分散されるので、キャップの開封を容易に且つスムーズに行うことができるものとなる。
【００１３】
請求項３に記載のキャップ付き容器は、請求項１または２に記載の、前記容器本体と前記ヒンジ部と前記キャップとは樹脂で一体成形されているので、簡単に低コストで製造することができる。
【００１４】
請求項４に記載のキャップ付き容器は、請求項１，２または３に記載の、前記容器本体は、胴部外径が片手で把持可能な太さとなっているので、容器本体の胴部を手のひらと親指以外の４本の指で把持し、親指をキャップに突設されている開封操作用指掛け突起に掛けるとともにキャップに設けられているカバー部に添わして開封操作用指掛け突起を押し上げる、といった片手操作によりキャップを容器本体の開口部から外すことが可能となる。
【発明を実施するための最良の形態】
【００１５】
以下、本発明に係るキャップ付き容器を実施するための最良の形態を、図面を用いて詳細に説明する。  
図１乃至図３は本発明に係るキャップ付き容器の一例を示したもので、図１は本例のキャップ付き容器でキャップを閉じた状態を示す斜視図、図２は本例のキャップ付き容器でキャップを閉じた状態を示す一部省略断面図、図３は本例のキャップ付き容器でキャップを開いた状態を示す一部省略断面図である。
【００１６】
本例のキャップ付き容器１は、容器本体２に、容器本体２の開口部３を開閉するキャップ４がヒンジ部５を介して一体に設けられており、キャップ４にはヒンジ部５とは反対側の部分に開封操作用指掛け突起６が外向きに突設されている。
【００１７】
容器本体２にあっては、本例ではその形状は胴部外径が片手で把持可能な太さの試験管の如き細管状となっている。また、容器本体２の開口部３を開閉するキャップ４にあっては、開口部３を形成する容器本体２の先端部に載るキャップトップ４ａの下部に、開口部３に嵌合して封止する嵌合部４ｂが形成されている。嵌合部４ｂは、容器本体２の開口部３に密に嵌る短筒状に形成されている。またヒンジ部５にあっては、板状の部分に、これを横切る向きで薄肉部５ａが設けられている。
【００１８】
前記キャップ４には、開封操作用指掛け突起６を設けた側の部分に、キャップ４を開くときに開封者の指が当たる位置に存在するようにカバー部７が一体に設けられている。即ち、開封に際し、キャップ４に突設されている開封操作用指掛け突起６に親指を掛けたとき、カバー部７に親指の腹部が当たるようになっている。このカバー部７の形状は、キャップ４が容器本体２の開口部３を閉じた状態にあるとき、容器本体２の開口部３に至る部分２ａの外側面に沿って湾曲した袴状に形成されている。
【００１９】
このように構成されたキャップ付き容器１は、本例では全体がポリプロピレンの如き樹脂で一体成形されているが、容器本体１がガラス製、ヒンジ部３やキャップ４が樹脂製であってもよい。このような構成のキャップ付き容器１では、図示しないが、ヒンジ部３は、容器本体１の開口部２の外周に嵌める等して取り付けられる。
【００２０】
上記のように構成されたキャップ付き容器１は、開封時に、開封者の手指をキャップ４に突設されている開封操作用指掛け突起６に掛けるとともにキャップ４に設けられているカバー部７に添わして開封操作用指掛け突起６を押し上げてキャップ４を開くことにより、開封者の手指が容器本体２の開口部３の口元や開口部３付近の外側に接触することをカバー部７によって確実に防止することができ、開封者の手指が容器本体２の開口部３の口元や開口部付近に接触することによる容器本体２内部への雑菌や芥等の侵入を防止することができる。従って、例えば、キャップ付き容器１が減菌済み容器であり、採取した細菌を収容する容器として使用されるような場合、使用時に、開封した容器本体２の開口部３の口元や開口部付近の外側を消毒するといた煩わしい作業がいらなくなるので、非常に便利なものとなる。
【００２１】
また、本例では、カバー部７の形状が、キャップ４が容器本体２の開口部３を閉じた状態にあるとき、容器本体２の開口部３に至る部分２ａの外側面に沿って湾曲した袴状に形成されているので、開封時にカバー部７に添わした開封者の手指が容器本体２の開口部３の口元や開口部付近に接触することをより確実に防止することができ、また、手指による開封操作用指掛け突起６の押し上げの力を受けることにより、開封操作用指掛け突起６に掛かる力が分散されるので、キャップ４の開封操作を容易に且つスムーズに行うことができる。
【００２２】
また、本例では、容器本体２は、本例ではその形状は胴部外径が片手で把持可能な太さの試験管の如き細管状となっているので、容器本体２の胴部を手のひらと親指以外の４本の指で把持し、親指をキャップ４に突設されている開封操作用指掛け突起６に掛けるとともにキャップ４に設けられているカバー部７に添わして開封操作用指掛け突起６を押し上げる、といった片手操作によりキャップ４を容器本体２の開口部３から外すことが可能となるので、作業性がよい。
【００２３】
更に、本例では、容器本体２とヒンジ部５とキャップ４とは樹脂で一体成形されているので、簡単に低コストで製造することができる。
【図面の簡単な説明】
【００２４】
【図１】本発明に係るキャップ付き容器の一例で、キャップを閉じた状態を示す斜視図である。
【図２】本例のキャップ付き容器でキャップを閉じた状態を示す一部省略断面図である。
【図３】本例のキャップ付き容器でキャップを開いた状態を示す一部省略断面図である。
【符号の説明】
【００２５】
１  キャップ付き容器
２  容器本体
２ａ  容器本体２の開口部３に至る部分
３  開口部
４  キャップ
４ａ  キャップトップ
４ｂ  嵌合部
５  ヒンジ部
５ａ  薄肉部
６  開封操作用指掛け突起
７  カバー部
【図１】
2008247432.tif 000003
【図２】
2008247432.tif 000004
【図３】
2008247432.tif 000005